(57)【要約】      （修正有）【課題】見る者により強い印象を与える立体ディスプレイを提供する。【解決手段】基材として熱可塑性樹脂を用いてなる平板のディスプレイ面の一部に、個体のほぼ実物大の立体像が成形され、前記立体像に重ねてディスプレイ面上に個体情報を備えたディスプレイであって、立体像が成形された立体表示部分に金属蒸着層などの蒸着層を設ける。【選択図】図１
0003192773.tif 000002
【実用新案登録請求の範囲】
【請求項１】
基材として熱可塑性樹脂からなるシートを用い、平板のディスプレイ面の一部に個体のほぼ実物大の立体像を凹凸成形し、立体像と共に個体情報を表示する個体を立体的に表示するディスプレイであって、立体表示部に蒸着層を有すること、
を特徴とする立体ディスプレイ。
【請求項２】
基材として熱可塑性樹脂からなるシートを用い、平板のディスプレイ面の一部に個体のほぼ実物大の立体像を凹凸成形し、立体像と共に個体情報を表示する個体を立体的に表示するディスプレイであって、立体表示部に蒸着層を有すること、
および前記蒸着層が、金属蒸着層であること、
を特徴とする立体ディスプレイ。
【請求項３】
前記金属蒸着層の主成分が、金、銀、銅のいずれか１つ以上であること、
を特徴とする請求項２に記載の立体ディスプレイ。
【請求項４】
前記蒸着層の色が、青金、赤金、シルバーのいずれかであること、
を特徴とする請求項１から３のいずれかに記載の立体ディスプレイ。
【請求項５】
前記熱可塑性樹脂の主成分が、ポリスチレン、ポリエチレンテレフタレート（ＰＥＴ）、ポリ塩化ビニルのいずれか１つ以上であること
を特徴とする請求項１から４のいずれかに記載の立体ディスプレイ。
【請求項６】
前記基材が、熱可塑性樹脂からなるシートに蒸着フィルムをラミネートしたものであり、
該熱可塑性樹脂の主成分が、ポリスチレン、ポリエチレンテレフタレート（ＰＥＴ）、ポリ塩化ビニルのいずれか１つ以上であること、
を特徴とする請求項１から５のいずれかに記載の立体ディスプレイ。
【請求項７】
前記成形の方法が、真空成型法又は圧空成型法であること、
を特徴とする請求項１から６のいずれかに記載の立体ディスプレイ。
【請求項８】
前記立体像が、手形または足形であること、
を特徴とする請求項１から７のいずれかに記載の立体ディスプレイ。
【請求項９】
前記の手形または足形が、大相撲の力士のものであること、
を特徴とする請求項８に記載の立体ディスプレイ。
【請求項１０】
前記の手形または足形が、スポーツ選手、芸能人、作家などの著名人のものであること、
を特徴とする請求項８に記載の立体ディスプレイ。
【考案の詳細な説明】
【技術分野】
【０００１】
本考案は、立体成形されたディスプレイに関するものである。
【背景技術】
【０００２】
従来、ほぼ実物大の立体像を成形加工したディスプレイが知られている。これは、平板のディスプレイの一部に、ほぼ実物大の立体像（例えば、手のひらの形をした立体的な手形等）を凹凸成形したものである。成形しない平坦なものに比べ、見る人に強い印象を与えることができる。（特許文献１参照）。しかしながら、現在ではこの技術が周知になってきており、更なる強い印象を与えるものが求められている。
【先行技術文献】
【特許文献】
【０００３】
【特許文献１】登録実用新案公報第３０２９２５１号
【考案の概要】
【考案が解決しようとする課題】
【０００４】
本考案は、前記の事情に鑑みて、より強い印象を与える立体ディスプレイを提供することを課題とする。
【課題を解決するための手段】
【０００５】
上記課題を解決するために、本考案は次のような構成を有する。請求項１に記載の考案は、基材として熱可塑性樹脂からなるシートを用い、平板のディスプレイ面の一部に個体のほぼ実物大の立体像を凹凸成形し、立体像と共に個体情報を表示する個体を立体的に表示するディスプレイであって、立体表示部に蒸着層を有することを特徴とする立体ディスプレイである。
【０００６】
請求項２に記載の考案は、基材として熱可塑性樹脂からなるシートを用い、平板のディスプレイ面の一部に個体のほぼ実物大の立体像を凹凸成形し、立体像と共に個体情報を表示する個体を立体的に表示するディスプレイであって、立体表示部に蒸着層を有すること、および前記蒸着層が、金属蒸着層であること、
を特徴とする立体ディスプレイである。
【０００７】
請求項３に記載の考案は、前記金属蒸着層の主成分が、金、銀、銅のいずれか１つ以上であること、を特徴とする請求項２に記載の立体ディスプレイである。
【０００８】
請求項４に記載の考案は、前記蒸着層の色が、青金、赤金、シルバーのいずれかであること、を特徴とする請求項１から３のいずれかに記載の立体ディスプレイである。
【０００９】
請求項５に記載の考案は、前記熱可塑性樹脂の主成分が、ポリスチレン、ポリエチレンテレフタレート（ＰＥＴ）、ポリ塩化ビニルのいずれか１つ以上であることを特徴とする請求項１から４のいずれかに記載の立体ディスプレイである。
【００１０】
請求項６に記載の考案は、前記基材が、熱可塑性樹脂からなるシートに蒸着フィルムをラミネートしたものであり、該熱可塑性樹脂の主成分が、ポリスチレン、ポリエチレンテレフタレート（ＰＥＴ）、ポリ塩化ビニルのいずれか１つ以上であること、を特徴とする請求項１から５のいずれかに記載の立体ディスプレイである。
【００１１】
請求項７に記載の考案は、前記成形の方法が、真空成型法又は圧空成型法であること、を特徴とする請求項１から６のいずれかに記載の立体ディスプレイである。
【００１２】
請求項８に記載の考案は、前記立体像が、手形または足形であること、を特徴とする請求項１から７のいずれかに記載の立体ディスプレイである。
【００１３】
請求項９に記載の考案は、前記の手形または足形が、大相撲の力士のものであること、を特徴とする請求項８に記載の立体ディスプレイである。
【００１４】
請求項１０に記載の考案は、前記の手形または足形が、スポーツ選手、芸能人、作家などの著名人のものであること、を特徴とする請求項８に記載の立体ディスプレイである。
【考案の効果】
【００１５】
請求項１に記載の考案は、立体表示部に蒸着層を有する。蒸着は、各種の物質を熱可塑性樹脂からなるシートの表面に定着させる技術である。これにより、通常の印刷とは異なる外観や機能を持たせることができる。例えば、金属蒸着の場合は、金属そのものの外観を有し、迫力が有る。金属の化合物の場合は、独特の光沢と色彩を有する。記念品、土産もの、ＰＯＰ、プレミアム等の様々な用途で好適に用いることができる。
【００１６】
請求項２に記載の考案は、請求項１に記載の考案の蒸着層を、金属蒸着層に限定したものである。蒸着層の中でも、金属蒸着層は、前記のとおり迫力を有し、また、外観の点では鍍金の代用ともなり、隠蔽性も大きい等、様々な利点を有する。
【００１７】
請求項３に記載の考案は、金属蒸着層の主成分が、金、銀、銅のいずれか１つ以上であるものである。この３つの金属は、風格が有る金属として古来尊重されており、立体ディスプレイに高級感を持たせることができる。
【００１８】
請求項４に記載の考案は、蒸着層の色が、青金、赤金、シルバーのいずれかであるものである。この3色は独特の色彩感が有り、蒸着フィルムの分野ではよく使用されており、本考案に用いても、優れた外観上の効果を発揮する。
【００１９】
請求項５に記載の考案は、熱可塑性樹脂の主成分が、ポリスチレン、ポリエチレンテレフタレート（ＰＥＴ）、ポリ塩化ビニルのいずれか１つ以上であるものである。ポリスチレンは、耐熱性に優れ、腰があり、安価である。ポリエチレンテレフタレート（ＰＥＴ）とポリ塩化ビニルは、成形性が良く、折れ曲げ加工が可能で、折れ割れにくい。
【００２０】
請求項６に記載の考案は、基材が、熱可塑性樹脂からなるシートに蒸着フィルムをラミネートしたものであり、該熱可塑性樹脂の主成分が、ポリスチレン、ポリエチレンテレフタレート（ＰＥＴ）、ポリ塩化ビニルのいずれか１つ以上であるものである。シートに直接的に蒸着することがロットの面で困難な場合などに、既存の蒸着フィルムをラミネートする方法が有り、これを用いれば、生産上の制約を減らすことができる。
【００２１】
請求項７に記載の考案は、成形の方法が、真空成型法又は圧空成型法であるものである。この２つの方法は、型の形状を比較的正確に再現する成形を安価に実施できる。
【００２２】
請求項８に記載の考案は、立体像が、手形または足形であるものである。手形は、色紙に押された平面的なものでも喜ばれるものであるが、これを立体化し、更に蒸着によって質感や色彩の面の印象を強めれば、非常に優れた印象を与えるものになる。同様なものを足の形で制作すると、バリエーションが広がる。
【００２３】
請求項９に記載の考案は、手形または足形が、大相撲の力士のそれであるものである。大相撲の力士の手や足は大きく力強く、迫力が有る。これに本考案の技術を適用して、蒸着による金色で表現する等により、非常に印象が強いものとなる。
【００２４】
請求項１０に記載の考案は、手形または足形が、スポーツ選手、芸能人、作家などの著名人のそれであるものである。著名人のものであれば、ファンに喜ばれるものとなる。
【考案を実施するための形態】
【００２５】
以下、本考案の実施の形態について説明する。立体ディスプレイは、熱可塑性樹脂のシートからなる平板のディスプレイ面の一部に個体の立体像を凹凸成形した表示物であり、例えば、熱可塑性樹脂のシートの一部をスポーツ選手のほぼ実物大の手形に凹凸成形して立体像を形成する。指、手のひらなどの形状を、平板から盛り上がらせた半立体で表現するのである。立体像の表面に写真やイラストなどの絵柄が印刷されていると、より実物に近い像が得られる。
【００２６】
また、固体情報を表示する。固体情報は、例えば、誰の手形であるかを示す氏名が代表的なものである。その他、愛称、写真、経歴データ等が挙げられる。固体情報を表示する方法は特に限定されず、例えば熱可塑性樹脂のシートに印刷しておいてから成形してもよい。レーザープリンター、インクジェットプリンター等で印字や印画してもよい。シール、ラベル等で貼付してもよい。成形加工されていない平な部分に表示されていてもよく、成形加工された部分に表示されていてもよい。
【００２７】
基材は、熱可塑性樹脂からなるシート状物で、成形加工が可能であれば特に限定されない。適宜材質や厚みを選択することができる。比較的厚いものは「プラスチックシート」、薄いものは「プラスチックフィルム」と称されることが多いが、いずれでもよい。複数のプラスチックシートやプラスチックフィルムが貼合されたものでもよい。また、合成紙と称されているものも、物質的には熱可塑性樹脂である場合が多く、用いることができる。好適な厚みは０．０５ｍｍ〜１．５ｍｍである。
【００２８】
個体は、人物や動物である。例えば、大相撲の力士、野球やＪリーグなどのスポーツ選手、芸能人、作家などの著名人である。また、競馬等の馬なども挙げられる。立体像は、これらの全体、又は顔、手形、足形などの一部が使用できる。
【００２９】
成形方法としては、以下の方法が好ましい。
＜イ＞雄型成形法
立体ディスプレイを雄型形成法で製造する場合、例えば図１のように、まず、個体の雄型２２を作成し、そこに必要個数の真空孔２３を形成する。次に、プラスチックシート１０を固定枠２１に取り付け、ヒーター２０を接近させ、プラスチックシート１０を軟化させる。軟化させる温度はプラスチックシート１０の性質により決められる。
【００３０】
次に、雄型２２をプラスチックシート１０に当接し、真空孔２３により真空に引いてプラスチックシート１０を雄型２２に密着させる。その後、プラスチックシート１０を十分冷却してから離型して、プラスチックシート１０の一部に立体像を成形する。
【００３１】
＜ロ＞雌型成形法
雌型成形法の場合、例えば図２のように、型台の上に個体の雌型２４を配置する。雌型２４は必要な個数の真空孔２３を有している。雌型２４の縁にプラスチックシート１０を固定枠２１で固定し、その上にヒーター２０を近接する。
【００３２】
プラスチックシート１０が軟化すると、型台を取り外し、真空孔２３で真空に引いて、プラスチックシートを雌型２４に密着させる。その後、プラスチックシート１０を十分冷却してから離型して、プラスチックシート１０の一部に立体像を成形する。
【００３３】
＜ハ＞絵柄合わせ
プラスチックシート１０の立体像と絵柄を合わせるのに、印刷先行方式や型先行方式がある。印刷先行方式は、絵柄に合わせて型を作成するものであり、また、型先行方式は、型に合わせて印刷原稿を作成するもので、絵柄と型を精密に合わせる時や４０ｍｍ以上の深絞りの場合に適している。尚、当業界で知られている「印刷先行方式」という用語で説明したが、本考案の場合、立体表示部に必須なのは蒸着層である。当然ながら印刷を併用することも可能である。また、立体表示部にとどまらず広い範囲で蒸着が施されていて、かつ印刷も無い場合は、絵柄は無く、位置合わせは不要となる。
【００３４】
蒸着層は、成形加工に耐えられるものであればよく、物理蒸着、化学蒸着等公知の方法を用いることができる。好適なのは真空蒸着である。物質としては、金属、金属化合物、その他の化合物を用いることができる。金属としては、金、銀、銅、アルミ等、種々のものを単独で、あるいは混合して用いることができる。
【００３５】
蒸着層は、熱可塑性樹脂のシートに蒸着を施すことによって設けることができる。単体のシートに蒸着加工してもよい。複数のシートが貼合されたものに蒸着を施してもよい。また、フィルムに蒸着が施された蒸着フィルムを熱可塑性樹脂のシートにラミネート（貼合）してもよい。尚、一般的に、蒸着が施された状態で販売されるものは、比較的薄いものが多く、蒸着フィルムと称されるのが普通であるため、蒸着フィルムという用語で説明した。しかし、本考案においては、シートとフィルムには本質的な違いは無い。
【００３６】
成形加工の方法としては、真空成型法と圧空成型法が好適に用いられる。いずれも、加熱して軟化させた熱可塑性樹脂のシートを型に密着させて成形する。型に密着させる際にシートは引き伸ばされるが、その際、空気圧を利用する。真空成型法は、真空の力を用い、大気圧を利用する。圧空成成型法は、真空の力とともに圧縮空気も用いるため、より寸法精度が向上し外観が良くなる。いずれの方法においても、雄型、雌型のいずれかを用いることができる。
【図面の簡単な説明】
【００３７】
【図１】雄型成形法の説明図である。
【図２】雌型成形法の説明図である。
【符号の説明】
【００３８】
１０  プラスチックシート
２０  ヒーター
２１  固定枠
２２  雄型
２３  真空孔
２４  雌型
２５  型台
【図１】
0003192773.tif 000003
【図２】
0003192773.tif 000004
【手続補正書】
【提出日】平成26年6月25日(2014.6.25)
【手続補正１】
【補正対象書類名】実用新案登録請求の範囲
【補正対象項目名】全文
【補正方法】変更
【補正の内容】
【実用新案登録請求の範囲】
【請求項１】
基材として熱可塑性樹脂を用いてなる平板のディスプレイ面の一部に、個体のほぼ実物大の立体像が成形され、前記立体像に重ねて前記ディスプレイ面上に個体情報を備えたディスプレイであって、
前記立体像が成形された立体表示部分に蒸着層を有すること、
を特徴とする立体ディスプレイ。      
【請求項２】
基材として熱可塑性樹脂を用いてなる平板のディスプレイ面の一部に、個体のほぼ実物大の立体像が成形され、前記立体像に重ねて前記ディスプレイ面上に個体情報を備えたディスプレイであって、
前記立体像が成形された立体表示部分に蒸着層を有すること、
および前記蒸着層が金属蒸着層であること、
を特徴とする立体ディスプレイ。
【請求項３】
前記金属蒸着層の主成分が、金、銀、銅のいずれか１つ以上であること、
を特徴とする請求項２に記載の立体ディスプレイ。
【請求項４】
前記蒸着層の色が、青金、赤金、シルバーのいずれかであること、
を特徴とする請求項１から３のいずれかに記載の立体ディスプレイ。
【請求項５】
前記熱可塑性樹脂の主成分が、ポリスチレン、ポリエチレンテレフタレート（ＰＥＴ）、ポリ塩化ビニルのいずれか１つ以上であること
を特徴とする請求項１から４のいずれかに記載の立体ディスプレイ。
【請求項６】
前記基材が、熱可塑性樹脂からなるシートに蒸着フィルムをラミネートしたものであり、
該熱可塑性樹脂の主成分が、ポリスチレン、ポリエチレンテレフタレート（ＰＥＴ）、ポリ塩化ビニルのいずれか１つ以上であること、
を特徴とする請求項１から５のいずれかに記載の立体ディスプレイ。
【請求項７】
前記成形の方法が、真空成型法又は圧空成型法であること、
を特徴とする請求項１から６のいずれかに記載の立体ディスプレイ。
【請求項８】
前記立体像が、手形または足形であること、
を特徴とする請求項１から７のいずれかに記載の立体ディスプレイ。
【請求項９】
前記の手形または足形が、大相撲の力士のものであること、
を特徴とする請求項８に記載の立体ディスプレイ。
【請求項１０】
前記の手形または足形が、スポーツ選手、芸能人、作家などの著名人のものであること、
を特徴とする請求項８に記載の立体ディスプレイ。